(57)【要約】【課題】外壁パネル間の溝幅がばらついている場合であっても、目地全体において外壁パネルの端面と乾式材とが密着している状態とすることができ、且つ、そのような状態を長期間にわたって維持することのできる目地構造を提供すること。【解決手段】目地１０は、互いに隣り合う２枚の外壁パネル１００ａ、１００ｂの間に形成された溝ＧＲの内部のうち、奥側の部分に充填された湿式材２００と、湿式材２００を屋外側から覆うように、溝ＧＲの内部に保持された乾式材３００と、を備えている。  溝ＧＲを区画しているそれぞれの外壁パネル１００ａ、１００ｂの互いに対向する端面には、溝ＧＲの内側に向かって突出する突出部（第一傾斜面１０１ａ、１０１ｂ、第二傾斜面１０２ａ、１０２ｂ）が、溝ＧＲの長手方向に沿って形成されており、  乾式材３００は、湿式材２００と第二傾斜面１０２ａ、１０２ｂとの間に挟みこまれた状態で保持されている。【選択図】図１
2015021370.tif 000002
【特許請求の範囲】
【請求項１】
外壁パネルの目地構造であって、
互いに隣り合う２枚の外壁パネルの間に形成された溝の内部のうち、奥側の部分に充填された湿式材と、
前記湿式材を屋外側から覆うように、前記溝の内部に保持された乾式材と、
を備え、
前記溝を区画しているそれぞれの前記外壁パネルの互いに対向する端面には、前記溝の内側に向かって突出する突出部が、前記溝の長手方向に沿って連続して形成されており、
前記乾式材は、
前記湿式材と前記突出部との間に挟みこまれた状態で保持されていることを特徴とする目地構造。
【請求項２】
前記乾式材のうち前記湿式材と接触する面には、少なくともその一部が前記湿式材に入り込むように突出する突起が形成されており、
前記外壁パネルの前記端面と前記乾式材との間には、前記突起によって押し出された前記湿式材を収容し得る空間が形成されていることを特徴とする、請求項１に記載の目地構造。
【請求項３】
前記突出部は、
前記溝の長手方向に対して垂直な断面の形状が略山形となるように、
屋外側の面である第一傾斜面と、奥側の面である第二傾斜面と、を有していることを特徴とする、請求項１又は請求項２に記載の目地構造。
【請求項４】
前記外壁パネルはＡＬＣからなり、
前記外壁パネルのうち、前記溝に保持された状態の前記乾式材と対向する部分は、前記ＡＬＣの表面の凹部に前記湿式材が入り込むことを防止するための塗膜で覆われていることを特徴とする、請求項１乃至３のいずれか一項に記載の目地構造。
【発明の詳細な説明】
【技術分野】
【０００１】
本発明は、外壁パネルの目地構造に関する。
【背景技術】
【０００２】
複数の外壁パネルを並べた構成の外壁においては、互いに隣り合う外壁パネルの間に目地が形成される。このような目地は、外壁パネルの間から内部に水が浸入することを防止する必要があるため、水密な構造となっている。具体的には、互いに隣り合う外壁パネルの間に形成された溝の内部に、例えばポリウレタン系の湿式シール材を充填（打設）した構成となっている。
【０００３】
湿式シール材は、硬化した後もそれぞれの外壁パネルの端面に密着した状態となっており、且つ、ある程度の弾力性を維持している。このため、建物に働く外力等によって外壁パネル間の溝幅が僅かに変化した場合でも、湿式シール材がそれに追従するように変形する。その結果、外壁パネルの間に隙間が空いてしまったり、湿式シール材が破損してしまったりすることが抑制され、水密な目地の構造が維持される。
【０００４】
しかし、湿式シール材は時間の経過とともに劣化し、次第にその弾力性が失われてしまう。すなわち、湿式シール材の経年劣化により、水密な目地の構造を維持することが難しくなってくる。そこで、水密な目地の構造を維持するためには、定期的に目地の改修を行う必要がある。
【０００５】
目地を改修する方法としては、例えば劣化した湿式シール材をカッター等で除去した後、同じ箇所に新しい湿式シール材を再度打設しなおすことが考えられる。しかし、このような方法では、外壁パネルの端面に古い湿式シール材が僅かに残留し、新しい湿式シール材と外壁パネルの端面との密着を妨げてしまう恐れがある。
【０００６】
このため、他の改修方法として、古い湿式シール材を除去せずにそのまま残しておきながら、古い湿式シール材を屋外側から覆うように新しい湿式シール材を打設するという方法が提案されている（下記特許文献１）。
【０００７】
下記特許文献１には、外壁パネルの間に形成された溝の内部のうち、奥側の部分にのみ湿式シール材を打設し、屋外側の部分には定形の乾式材を嵌め込んで保持しておく構成の目地構造が記載されている。また、湿式シール材が経年劣化した際には、溝から上記乾式材のみを除去した後、溝の内部のうち乾式材が占めていた部分を埋めるように新しい湿式シール材を打設するという改修方法が記載されている。このように、建物の新築時において溝に嵌め込まれる乾式材は、将来の改修時における新しい湿式シール材の「打設しろ」を確保しておくためのものである。また、外壁パネルの間の溝の内部のうち湿式シール材よりも屋外側の部分を改修時まで埋めておくことにより、外壁の外観を良好に維持する機能や、湿式シール材の劣化を抑制する機能も発揮し得るものである。
【先行技術文献】
【特許文献】
【０００８】
【特許文献１】特開２０１２−４６８７９号公報
【発明の概要】
【発明が解決しようとする課題】
【０００９】
ところで、外壁パネル間に形成される溝の幅は、外壁パネルの寸法ばらつきや組み立てばらつきに起因して、一様に且つ厳密に設計値通りとすることが難しい。すなわち、建物を建築した直後においても、溝幅の一部が設計値よりも僅かに広くなっている場合や、狭くなっている場合が生じてしまう。
【００１０】
目地のうち溝幅が比較的広くなっている部分においては、外壁パネルの端面と乾式材との間の一部に隙間が空き、当該隙間に埃等の汚物が蓄積してしまう恐れがある。逆に、溝幅が比較的狭くなっている部分においては、乾式材が溝に収まりきれずに浮き上がってしまう恐れもある。いずれの場合においても、外壁の美観が損なわれてしまうため、好ましくない。また、外壁パネルの端面と乾式材との隙間から水や埃等が侵入することにより、湿式シール材の劣化が促進されてしまう場合もある
【００１１】
また、建物を建築した直後においては上記のような隙間が生じていない場合であっても、乾式材自体が経年劣化して変形し、これにより外壁パネルの端面と乾式材との間に隙間が生じてしまう可能性もある。
【００１２】
本発明はこのような課題に鑑みてなされたものであり、その目的は、外壁パネル間の溝幅がばらついている場合であっても、目地全体において外壁パネルの端面と乾式材とが密着している状態とすることができ、且つ、そのような状態を長期間にわたって維持することのできる目地構造を提供することにある。
【課題を解決するための手段】
【００１３】
上記課題を解決するために、本発明に係る目地構造は、外壁パネルの目地構造であって、互いに隣り合う２枚の外壁パネルの間に形成された溝の内部のうち、奥側の部分に充填された湿式材と、前記湿式材を屋外側から覆うように、前記溝の内部に保持された乾式材と、を備え、前記溝を区画しているそれぞれの前記外壁パネルの互いに対向する端面には、前記溝の内側に向かって突出する突出部が、前記溝の長手方向に沿って連続して形成されており、前記乾式材は、前記湿式材と前記突出部との間に挟みこまれた状態で保持されていることを特徴としている。
【００１４】
本発明に係る目地構造は、互いに隣り合う２枚の外壁パネルの間に形成された溝の内部に、湿式材と乾式材とを備えた構成となっている。
【００１５】
湿式材は、溝の内部のうち奥側の部分に充填されるシール材であって、隣り合う２枚の外壁パネルの間を水密に塞ぐものである。湿式材は、例えばポリウレタン系のシーリング材のように、溝への充填時（打設時）には粘性の高い液体となっており、充填された後に硬化するものである。
【００１６】
乾式材は、例えば合成ゴムによって形成された定形の部材である。すなわち、目地が形成される当初から固体となっている部材である。乾式材は、上記のように充填された湿式材を屋外側から覆うように、溝の内部に保持されている。すなわち、外壁パネルの間に形成された溝の内部のうち、湿式材よりも屋外側の部分において保持されている。湿式材と乾式材とは、外壁パネルの厚さ方向に沿って重ねられた状態で、溝の内部に配置されている。
【００１７】
上記溝を区画しているそれぞれの外壁パネルの互いに対向する端面には、溝の内側に向かって突出する突出部が、溝の長手方向に沿って連続して形成されている。すなわち、溝の両側壁面（互いに対向する外壁パネルの端面）には、一方から他方に向かって突出する突出部が形成されており、このような突出部が溝の長手方向に沿って途切れることなく形成されている。
【００１８】
乾式材は、溝の内部において、これら突出部と湿式材との間に挟みこまれた状態で保持されている。つまり、乾式材のうち奥側の部分は湿式材に対して当接しており、乾式材のうち屋外側の部分は突出部に対して奥側から当接している。
【００１９】
外壁の外側（屋外側）から目地を見た場合においては、乾式材のうち幅方向における両端部近傍が、それぞれ突出部によって覆われた状態となっている。このため、外壁パネル間に形成される溝の幅が場所によってばらついている場合であっても、当該ばらつきは、乾式材と突出部との重なり幅（乾式材のうち、突出部によって覆われている部分の面積といってもよい）が変化することによって吸収される。その結果、外壁パネルの端面と乾式材との間の一部に隙間が空いてしまうことや、乾式材が溝に収まりきれずに浮き上がってしまうことが抑制される。
【００２０】
また、乾式材は、突出部によって屋外側から奥側（湿式材側）に向かって押さえつけられた状態となっており、これによる乾式材と突出部との密着部分が、溝の長手方向に沿って連続するように伸びている。その結果、乾式材と突出部との間はある程度水密な状態に維持される。
【００２１】
以上のように、本発明に係る目地構造によれば、外壁パネル間の溝幅がばらついている場合であっても、目地全体において外壁パネルの端面と乾式材とが密着している状態とし、且つ、そのような状態を長期間にわたって維持することが可能となる。
【００２２】
また、本発明に係る目地構造では、前記乾式材のうち前記湿式材と接触する面には、少なくともその一部が前記湿式材に入り込むように突出する突起が形成されており、前記外壁パネルの前記端面と前記乾式材との間には、前記突起によって押し出された前記湿式材を収容し得る空間が形成されていることも好ましい。
【００２３】
この好ましい態様では、乾式材のうち湿式材と接触する面、すなわち奥側の面には、少なくともその一部が湿式材に入り込むように突出する突起が形成されている。このため、溝に湿式材を打設した後、当該湿式材が硬化しないうちに乾式材を溝に嵌め込むと、乾式材の上記突起が未硬化の湿式材に入り込んだ状態となる。その後、湿式材が硬化すると、乾式材はその奥側の面が接着された状態となるため、乾式材は強固に保持され、溝から外れてしまうことが抑制される。
【００２４】
また、乾式材が溝に嵌め込まれる際には、突起によって未硬化の湿式材の一部が押し拡げられて、当初の打設位置（溝の内部のうち奥側の空間）からはみ出てしまう場合がある。しかし、この好ましい態様では、外壁パネルの端面（溝の側壁面）と乾式材との間に、突起によって押し出された湿式材を収容し得る空間が形成されている。このため、湿式材が上記のようにはみ出てしまった場合であっても、当該湿式材は上記空間に収容され、乾式材よりも屋外側にはみ出てしまうことがない。その結果、はみ出た湿式材によって目地の外観が損なわれてしまうことがない。
【００２５】
また、本発明に係る目地構造では、前記突出部は、前記溝の長手方向に対して垂直な断面の形状が略山形となるように、屋外側の面である第一傾斜面と、奥側の面である第二傾斜面と、を有していることも好ましい。
【００２６】
この好ましい態様では、外壁パネルの端面に形成された突出部は、溝の長手方向に対して垂直な断面の形状が略山形となるように、屋外側の面である第一傾斜面と、奥側の面である第二傾斜面と、を有している。
【００２７】
乾式材を溝に嵌め込む際においては、溝の両側に形成されたそれぞれの第一傾斜面によって乾式材が案内されるため、乾式材をスムーズに嵌め込むことができる。また、乾式材が溝に嵌め込まれた後は、溝の両側に形成されたそれぞれの第二傾斜面によって乾式材が奥側に向けて押さえつけられた状態となる。第二傾斜面は、その法線方向が溝の奥側且つ乾式材の中心側に向かうように傾斜した面であるから、乾式材と第二傾斜面との密着部分（密着面）が、溝の長手方向に沿って途切れることなく形成されやすい。その結果、乾式材と突出部（第二傾斜面）との間は更に水密な状態となり、水や埃等の浸入が更に抑制される。
【００２８】
また、本発明に係る目地構造では、前記外壁パネルはＡＬＣからなり、前記外壁パネルのうち、前記溝に保持された状態の前記乾式材と対向する部分は、前記ＡＬＣの表面の凹部に前記湿式材が入り込むことを防止するための塗膜で覆われていることも好ましい。
【００２９】
この好ましい態様では、外壁パネルはＡＬＣ（Autoclaved Light-weight Concrete；軽量気泡コンクリート）によって形成されている。また、外壁パネルのうち、溝に保持された状態の乾式材と対向する部分は、ＡＬＣの表面の凹部に湿式材が入り込むことを防止するための塗膜で覆われている。
【００３０】
このため、湿式材が硬化しないうちに乾式材が溝に嵌め込まれて、外壁パネルの一部（乾式材と対向する部分）に未硬化の湿式材が付着したような場合であっても、多孔質状となっている外壁パネルの表面の凹部に湿式材が入り込んでしまうことが防止される。湿式材が付着するのは平滑な塗膜の上であるから、容易に除去することができる。
【００３１】
例えば、目地の改修を行う際には、乾式材を除去した後、新たな湿式材を打設する前に、外壁パネルのうち乾式材が嵌め込まれていた部分に付着している湿式材を容易に除去することができる。すなわち、外壁パネルの端面のうち新たな湿式材がこれから密着する部分、に付着している湿式材を、容易に除去することができる。その結果、新たに打設される湿式材と外壁パネルの端面（溝の側壁面）との密着性を向上させることができる。
【発明の効果】
【００３２】
本発明によれば、外壁パネル間の溝幅がばらついている場合であっても、目地全体において外壁パネルの端面と乾式材とが密着している状態とすることができ、且つ、そのような状態を長期間にわたって維持することのできる目地構造を提供することができる。
【図面の簡単な説明】
【００３３】
【図１】本発明の実施形態に係る目地構造を示す断面図である。
【図２】図１に示した目地を形成する際の手順を説明するための図である。
【図３】図１に示した目地を形成する際の手順を説明するための図である。
【図４】図１に示した目地の一部である乾式材の形状を示す断面図である。
【図５】図１に示した目地を改修する際の手順を説明するための図である。
【図６】図１に示した目地を改修する際の手順を説明するための図である。
【発明を実施するための形態】
【００３４】
以下、添付図面を参照しながら本発明の実施の形態について説明する。説明の理解を容易にするため、各図面において同一の構成要素に対しては可能な限り同一の符号を付して、重複する説明は省略する。
【００３５】
図１は、本発明の実施形態に係る目地構造を示す断面図である。目地１０は、複数の外壁パネルを並べることによって外壁を構成してなる建物において、互いに隣り合う外壁パネル１００ａ、１００ｂの間に形成される。図１では、目地１０を水平面で切断した断面を描いており、外壁パネル１００ａのうち屋外側の面である表面Ｓａと、外壁パネル１００ｂのうち屋外側の面である表面Ｓｂとが、いずれも上方となるように描いている。目地１０の断面形状は、切断面の位置によらず略一様となっている。
【００３６】
外壁パネル１００ａ、１００ｂは、いずれもＡＬＣ（Autoclaved Light-weight Concrete；軽量気泡コンクリート）によって形成された板状の部材であり、それぞれの表面形状は矩形となっている。図１に示したように、外壁パネル１００ａ、１００ｂは、表面Ｓａと表面Ｓｂとが略同一平面上に位置するように配置されている。外壁パネル１００ａ、１００ｂの断面形状は、少なくとも目地１０近傍の部分（図１に示した部分）において、互いに左右対称となっている。このため、以下では、主に外壁パネル１００ａの形状について詳細な説明を行い、外壁パネル１００ｂの形状については説明を省略することがある。尚、ここでいう「左右」とは、目地１０を図１のように見た場合における左右のことである。
【００３７】
外壁パネル１００ａ、１００ｂは、それぞれ屋外側の一部が切り欠かれており、これにより両者の間に溝ＧＲが形成されている。溝ＧＲは、外壁パネル１００ａの端面（図１では右側の端面）の一部と、外壁パネル１００ｂの端面（図１では左側の端面）の一部とによって、その側壁面及び底面が区画されている。目地１０は、溝ＧＲの内部に、湿式材２００と乾式材３００とを備えた構成となっている。尚、以下の説明及び図１等でも明らかなように、ここでいう「端面」とは、表面Ｓａや表面Ｓｂに対して垂直な面に限定されるものではない。
【００３８】
外壁パネル１００ａの端面は、第一傾斜面１０１ａと、第二傾斜面１０２ａと、第一底面１０３ａと、垂直面１０４ａと、第二底面１０５ａと、対向面１０６ａとを有している。
【００３９】
第一傾斜面１０１ａは、表面Ｓａの端部から溝ＧＲの奥側（以下、単に「奥側」ともいう）に向かって伸びる面である。第一傾斜面１０１ａは、その法線方向が屋外側且つ外壁パネル１００ｂ側に向かう方向（すなわち、図１では右上方向）となるよう、表面Ｓａに対して傾斜した面となっている。
【００４０】
第二傾斜面１０２ａは、第一傾斜面１０１ａよりも奥側となる位置に形成された面である。第二傾斜面１０２ａは、その法線方向が奥側且つ外壁パネル１００ｂ側に向かう方向（すなわち、図１では右下方向）となるよう、表面Ｓａに対して傾斜した面となっている。このため、図１に示した断面においては、外壁パネル１００ａの端面の一部が、第一傾斜面１０１ａと第二傾斜面１０２ａとにより略山形の形状となっている。
【００４１】
本実施形態においては、第一傾斜面１０１ａと第二傾斜面１０２ａとの間には微小な垂直面ＴＳａ（表面Ｓａに対して垂直な面）が形成されている。垂直面ＴＳａは、外壁パネル１００ａの端面のうち、上記のように略山形の形状を成す部分の頂点に該当する。
【００４２】
第一底面１０３ａは、第二傾斜面１０２ａの奥側端部から外壁パネル１００ｂ側に向かって伸びる面である。第一底面１０３ａは、表面Ｓａに対して平行である。
【００４３】
垂直面１０４ａは、第一底面１０３ａのうち外壁パネル１００ｂ側の端部から奥側に向かって伸びる面である。垂直面１０４ａは、表面Ｓａに対して垂直であり、垂直面ＴＳａと同一平面上に形成されている。
【００４４】
第二底面１０５ａは、垂直面１０４ａの奥側端部から外壁パネル１００ｂ側に向かって伸びる面である。第二底面１０５ａは、表面Ｓａに対して平行である。
【００４５】
対向面１０６ａは、外壁パネル１００ａの端面のうち溝ＧＲよりも更に奥側の部分である。対向面１０６ａは、第二底面１０５ａのうち外壁パネル１００ｂ側の端部から奥側に向かって伸びており、表面Ｓａに対して垂直である。対向面１０６ａと、外壁パネル１００ｂの対向面１０６ｂとは、互いに近接した状態で対向している。対向面１０６ａと対向面１０６ｂとの間にはわずかな隙間が形成されている。
【００４６】
溝ＧＲの内部のうち、垂直面１０４ａ、垂直面１０４ｂ、第二底面１０５ａ、第二底面１０５ｂにより区画された部分、すなわち、溝ＧＲの内部のうち第一底面１０３ａよりも奥側の部分には、湿式材２００が打設されている。湿式材２００はポリウレタン系のシーリング材であって、垂直面１０４ａ、垂直面１０４ｂ、第二底面１０５ａ、第二底面１０５ｂのそれぞれに対して密着（接着）した状態で硬化している。このため、目地１０は湿式材２００によって水密に塞がれており、外壁パネル１００ａと外壁パネル１００ｂとの間から水や埃が侵入してしまうことがない。
【００４７】
乾式材３００は紐状に形成された合成ゴムからなり、その長手方向が溝ＧＲの長手方向に沿った状態で、溝ＧＲの内部に配置されている。乾式材３００は、溝ＧＲのうち湿式材２００よりも屋外側であり、且つ、垂直面ＴＳａよりも奥側となる位置に配置されている。
【００４８】
図１に示したように、乾式材３００は湿式材２００を屋外側から覆うように配置されている。換言すれば、湿式材２００と乾式材３００とは、外壁パネル１００ａ、１００ｂの厚さ方向（図１では上下方向）に沿って重ねられた状態で、溝ＧＲの内部に配置されている。乾式材３００のうち奥側の部分は、湿式材２００のうち屋外側の部分に密着（接着）した状態となっている。
【００４９】
既に説明したように、外壁パネル１００ａのうち目地１０側の端面は、第一傾斜面１０１ａと第二傾斜面１０２ａとによって略山形の形状となっている。換言すれば、略山形の形状を成す部分の頂点に該当する垂直面ＴＳａが、外壁パネル１００ｂ側に向かって突出するような形状となっている。同様に、外壁パネル１００ｂのうち目地１０側の端面は、第一傾斜面１０１ｂと第二傾斜面１０２ｂとによって略山形の形状となっている。換言すれば、略山形の形状を成す部分の頂点に該当する垂直面ＴＳｂが、外壁パネル１００ａ側に向かって突出するような形状となっている。
【００５０】
乾式材３００は、溝ＧＲの内部において、上記のように両側から突出する端面と湿式材２００との間に挟みこまれた状態で保持されている。つまり、乾式材３００のうち奥側の部分は湿式材２００に対して当接しており、乾式材３００のうち屋外側（外壁パネル１００ａの表面Ｓａ側）の部分は、第二傾斜面１０２ａ及び第二傾斜面１０２ｂに対して奥側から当接している。
【００５１】
図１に示したように、乾式材３００の幅（図１における左右方向の寸法）は、垂直面ＴＳａと垂直面ＴＳｂとの間隔よりも大きい。このため、屋外側から目地１０を見た場合においては、乾式材３００のうち幅方向（図１では左右方向）における両端部近傍が、それぞれ、外壁パネル１００ａの端面（第一傾斜面１０１ａ、第二傾斜面１０２ａ）及び外壁パネル１００ｂの端面（第一傾斜面１０１ｂ、第二傾斜面１０２ｂ）によって覆われた状態となっている。
【００５２】
従って、溝ＧＲの幅が場所によってばらついている場合であっても、当該ばらつきは、乾式材３００と第一傾斜面１０１ａ等との重なり幅（乾式材３００のうち、第二傾斜面１０２ａ等によって覆われている部分の面積といってもよい）が変化することによって吸収される。その結果、外壁パネル１００ａ、１００ｂの端面と乾式材３００との間の一部に隙間が空いてしまうことや、乾式材３００が溝ＧＲに収まりきれずに浮き上がってしまうことが抑制される。
【００５３】
また、乾式材３００は、第二傾斜面１０２ａ及び第二傾斜面１０２ｂによって屋外側から湿式材２００側に向かって（図１では下方側に向かって）押さえつけられた状態となっており、これによる乾式材３００と第二傾斜面１０２ａ等との密着部分が、溝ＧＲの長手方向に沿って連続するように伸びている。その結果、乾式材３００と第二傾斜面１０２ａ等との間はある程度水密な状態に維持されている。
【００５４】
以上のように、本実施形態に係る目地１０では、外壁パネル１００ａ、１００ｂ間に形成された溝ＧＲの幅がばらついている場合であっても、目地１０全体において、外壁パネル１００ａ、１００ｂの端面（第二傾斜面１０２ａ、第二傾斜面１０２ｂ）と乾式材３００とが密着している状態となっている。また、そのような状態を長期間にわたって維持することが可能となっている。
【００５５】
続いて、目地１０を形成する方法について、図２乃至４を参照しながら説明する。
【００５６】
まず、図２に示したように、ＡＬＣからなる外壁パネル１００ａ、１００ｂを図示しない鉄骨造建物に取り付けて、当該建物の外壁を構成する。既に説明したように、互いに隣り合う外壁パネル１００ａ、１００ｂは、表面Ｓａと表面Ｓｂとが略同一平面上に位置するように配置されている。また、対向面１０６ａと対向面１０６ｂとは、僅かに間を開けた状態で対向している。外壁パネル１００ａと外壁パネル１００ｂとの距離（対向面１０６ａと対向面１０６ｂとの距離）は、それぞれの寸法誤差や鉄骨造建物への取り付け誤差に起因して、所定の設計値よりも狭くなっている場合や、広くなっている場合がある。
【００５７】
外壁パネル１００ａの端面のうち溝ＧＲを区画する面、すなわち、第一傾斜面１０１ａ、垂直面ＴＳａ、第二傾斜面１０２ａ、第一底面１０３ａ、垂直面１０４ａ、及び第二底面１０５ａは、これらの全体が一つの塗膜層によって覆われた状態となっている。この塗膜層は、外壁パネル１００ａが鉄骨造建物に取り付けられる前の段階において事前に形成されたものであって、例えば合成樹脂エマルジョンあるいは溶液形合成樹脂などを塗布して乾燥させることにより形成されている。ＡＬＣは、無数の気泡を有する部材であるから、その表面は一般に滑らかではなく凹部が形成されている。しかし、上記のように塗膜層で覆われた部分は、当該凹部が埋められて、比較的滑らかな面となっている。
【００５８】
外壁パネル１００ｂの端面についても同様であって、溝ＧＲを区画する面、すなわち、第一傾斜面１０１ｂ、垂直面ＴＳｂ、第二傾斜面１０２ｂ、第一底面１０３ｂ、垂直面１０４ｂ、及び第二底面１０５ｂは、これらの全体が一つの塗膜層によって覆われた状態となっている。外壁パネル１００ａ、１００ｂの一部を上記のように塗膜層で覆っておく理由については、後に説明する。
【００５９】
続いて、シーリングガンを用いて、溝ＧＲの内部に湿式材２００を打設する。湿式材２００を打設する際には、湿式材２００と垂直面１０４ａ等との密着性（接着性）を向上させるために、溝ＧＲの内面に対して（塗膜層の上から）事前にプライマーを塗布しておくことが望ましい。
【００６０】
図３は、溝ＧＲの内部に湿式材２００が打設された状態を示している。湿式材２００は、シーリングガンによって打設された後、ヘラによって成形されており、屋外側の表面が表面Ｓａ、Ｓｂに対して平行となっている。図３に示したように、湿式材２００の屋外側の表面は、第一底面１０３ａ、１０３ｂと略同一平面上に位置している。また、湿式材２００は、垂直面１０４ａ、垂直面１０４ｂ、第二底面１０５ａ、第二底面１０５ｂのそれぞれに対し、全面に密着した状態となっている。
【００６１】
続いて、乾式材３００を溝ＧＲの内部に嵌め込んで、図１の状態とする。具体的には、先ず乾式材３００の長手方向を溝ＧＲの長手方向と一致させた状態で、乾式材３００を第一傾斜面１０１ａ、第一傾斜面１０１ｂの両方に当接させた状態とする。その後、専用のローラーによって乾式材３００を屋外側から押さえ付ける。乾式材３００は、第一傾斜面１０１ａ、第一傾斜面１０１ｂによって溝ＧＲの中央且つ奥側に向かうように案内される。
【００６２】
このとき、乾式材３００は、ローラーによって抑えつけられることによって変形し、垂直面ＴＳａ、ＴＳｂを乗り越えて奥側に移動する。最終的には、乾式材３００の全体が、溝ＧＲのうち垂直面ＴＳａ、ＴＳｂよりも奥側の空間に収容される。乾式材３００のうち最も奥側の部分は、湿式材２００のうち屋外側の部分に密着（接着）した状態となる。このため、湿式材２００が硬化した後は、乾式材３００は溝ＧＲの内部において強固に保持され、溝ＧＲから外れてしまうことが抑制される。
【００６３】
ここで、乾式材３００の具体的な形状について、図４を参照しながら説明する。図４は、乾式材３００の形状を示す断面図であって、乾式材３００をその長手方向に対して垂直な面で切断した場合の断面を示している。図４に示したように、乾式材３００の断面形状は左右対称である。尚、ここでいう「左右」とは、乾式材３００を図１及び図４のように見た場合における左右のことである。尚、以下の説明においては、図１の状態における乾式材３００から外壁パネル１００ａに向かう方向を「左方向」のように称することがあり、乾式材３００から外壁パネル１００ｂに向かう方向を「右方向」のように称することがある。
【００６４】
乾式材３００は、その左側面のうち屋外側の端部近傍から左方向に向かって延びる第一ひれ部３１０ａと、その右側面のうち屋外側の端部近傍から右方向に向かって延びる第一ひれ部３１０ｂと、を有している。図４に示したように、乾式材３００の屋外側の表面は全体が平坦面となっている。第一ひれ部３１０ａの屋外側の表面と、第一ひれ部３１０ｂの屋外側の表面とは、いずれも上記平坦面と同一平面内に配置されている。
【００６５】
乾式材３００は、更に、その左側面のうち奥側の端部近傍から左方向に向かって延びる第二ひれ部３２０ａと、その右側面のうち奥側の端部近傍から右方向に向かって延びる第二ひれ部３２０ｂと、を有している。
【００６６】
このように構成されているため、乾式材３００のうち左右両端の部分は、圧縮された際において容易に変形することが可能となっている。その結果、乾式材３００を溝ＧＲの内部に嵌め込む際においては、両端部分が変形してスムーズに垂直面ＴＳａ、ＴＳｂを乗り越えることができる。すなわち、乾式材３００を溝ＧＲに嵌め込む作業が容易なものとなっている。
【００６７】
また、第一ひれ部３１０ａの左側端部の傾斜面３１１ａは、その法線方向が左上方向に向かうように傾斜している。このため、図１のように乾式材３００が溝ＧＲの内部に嵌め込まれた状態においては、左側端部の傾斜面３１１ａが第二傾斜面１０２ａに対して密着した状態となりやすい。その結果、湿式材２００に向かって水や埃等が侵入してしまうことが抑制される。
【００６８】
同様に、第一ひれ部３１０ｂの右側端部の傾斜面３１１ｂは、その法線方向が右上方向に向かうように傾斜している。このため、図１のように乾式材３００が溝ＧＲの内部に嵌め込まれた状態においては、右側端部の傾斜面３１１ｂが第二傾斜面１０２ｂに対して密着した状態となりやすい。その結果、湿式材２００に向かって水や埃等が侵入してしまうことが抑制される。
【００６９】
乾式材３００は、その奥側の表面のうち左右方向の中央部において、突起３３０が形成されている。図４に示したように、突起３３０は、第二ひれ部３２０ａ、３２０ｂよりも更に奥側に向かって突出している。
【００７０】
このため、乾式材３００が溝ＧＲの内部に嵌め込まれる際には、突起３３０が未硬化の湿式材２００に入り込んだ状態となる。その結果、乾式材３００と湿式材２００との接触面積（接着面積）が増大するため、湿式材が硬化した後においては、乾式材３００はさらに強固に保持される。
【００７１】
ところで、突起３３０が未硬化の湿式材２００に入り込む際においては、図３に示した状態であった未硬化の湿式材２００の一部が、突起３３０によって押し拡げられる。その結果、湿式材２００の一部が当初の打設位置からはみ出てしまい、第一底面１０３ａよりも屋外側の部分に到達してしまう場合がある。
【００７２】
しかし、本実施形態においては、図１に示したように、外壁パネルの端面（第二傾斜面１０２ａ、１０２ｂ）と乾式材３００（第二ひれ部３２０ａ、３２０ｂ）との間に、突起３３０によって押し出された湿式材２００を収容し得る空間ＳＰａ、ＳＰｂが形成されている。換言すれば、このような空間ＳＰａ、ＳＰｂが形成されるように、第二ひれ部３２０ａ、３２０ｂの左右方向に沿った長さが調整されている。
【００７３】
このため、湿式材２００が上記のようにはみ出てしまった場合であっても、当該湿式材２００は空間ＳＰａ、ＳＰｂに収容され、乾式材３００よりも屋外側にはみ出てしまうことがない。その結果、はみ出た湿式材２００によって目地１０の外観が損なわれてしまうことが防止されている。
【００７４】
続いて、湿式材２００が経年劣化した際において、目地１０を改修する方法について説明する。目地１０を改修する際は、まず、乾式材３００のみを溝ＧＲから取り外す。具体的には、乾式材３００のうち奥側の面を湿式材２００から引き剥がしながら、溝ＧＲの内部から乾式材３００を除去して行く。図５は、目地１０を改修する際の手順を説明するための図であって、上記のように乾式材３００を除去した状態における目地１０の断面を示している。
【００７５】
乾式材３００を除去した後、第一底面１０３ａ、１０３ｂ、第二傾斜面１０２ａ、１０２ｂに付着して硬化している湿式材２００を除去する。このような湿式材２００は、目地１０を形成する際において、乾式材３００の突起３３０によって押し拡げられ、当初の（乾式材３００が嵌め込まれる前の）打設位置からはみ出てしまったものである。すなわち、空間ＳＰａ、ＳＰｂに収容された状態で硬化していたものである。
【００７６】
図２を参照しながら説明したように、第二傾斜面１０２ａ、１０２ｂ、第一底面１０３ａ、１０３ｂ（乾式材３００と対向する部分の表面）は、事前に塗膜層で覆われた状態となっている。このため、上記のように付着して硬化している湿式材２００は、平滑な塗膜の上に乗っている状態であるから、容易に除去することが可能となっている。尚、本実施形態では、外壁パネル１００ａ、１００ｂの端面のうち溝ＧＲを区画する面の全体に塗膜層を形成したが、本発明の実施形態としてはこのような態様に限られない。例えば、溝ＧＲを区画する面のうち、第二傾斜面１０２ａ、１０２ｂ、第一底面１０３ａ、１０３ｂのみに塗膜層を形成し、他の部分には塗膜層を形成しない態様としてもよい。
【００７７】
乾式材３００、及び、第二傾斜面１０２ａ等に付着していた湿式材２００を除去した後、溝ＧＲの内部に新たな湿式材４００を打設する。すなわち、（経年劣化した）湿式材２００の全体を除去することなく、乾式材３００が占めていた空間を埋めるように、新しい湿式材４００を打設する。湿式材４００は、湿式材２００と同一の材料からなるポリウレタン系のシーリング材である。
【００７８】
図６は、目地１０を改修する際の手順を説明するための図であって、上記のように湿式材４００を打設した状態における目地１０の断面を示している。図６に示したように、湿式材４００は、第二傾斜面１０２ａ、１０２ｂ、第一底面１０３ａ、１０３ｂのそれぞれに対して密着した状態となっており、その屋外側の表面の位置は、第二傾斜面１０２ａ、１０２ｂの屋外側の端部の位置と略等しい。
【００７９】
このような状態で湿式材４００が硬化すると、目地１０の改修は完了する。改修が完了した後においては、目地１０は湿式材４００によって水密に塞がれることとなる。以上の説明から明らかなように、目地１０を形成する際において溝ＧＲに嵌め込まれていた乾式材３００は、将来の改修時における新しい湿式材４００の「打設しろ」を確保しておくためのものであるということができる。
【００８０】
尚、改修時において打設される湿式材４００の量や、湿式材４００が打設される空間の形状（すなわち、外壁パネル１００ａ、１００ｂの端面の形状）は、湿式材４００の耐用年数（更に次の改修が行われるまでの期間）を考慮して設計されている。
【００８１】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００８２】
１０：目地
１００ａ，１００ｂ：外壁パネル
１０１ａ，１０１ｂ：第一傾斜面
１０２ａ，１０２ｂ：第二傾斜面
１０３ａ，１０３ｂ：第一底面
１０４ａ，１０４ｂ：垂直面
１０５ａ，１０５ｂ：第二底面
１０６ａ，１０６ｂ：対向面
２００：湿式材
３００：乾式材
３１０ａ，３１０ｂ：第一ひれ部
３１１ａ：左側端部の傾斜面
３１１ｂ：右側端部の傾斜面
３２０ａ，３２０ｂ：第二ひれ部
３３０：突起
４００：湿式材
ＧＲ：溝
Ｓａ，Ｓｂ：表面
ＳＰａ，ＳＰｂ：空間
ＴＳａ，ＴＳｂ：垂直面
【図１】
2015021370.tif 000003
【図２】
2015021370.tif 000004
【図３】
2015021370.tif 000005
【図４】
2015021370.tif 000006
【図５】
2015021370.tif 000007
【図６】
2015021370.tif 000008